(57)【要約】【課題】  機器側との電気接続を行うための板バネ状の端子を具備する従来の電気音響変換器は、端子取り付けの工程数が多く、生産性を低下させ、コストダウンを妨げる。【解決手段】  磁気回路と、ボイスコイル３５を取り付けた振動板３４とを樹脂製のフレーム１に組み付けると共に、該フレーム１に板バネ状の端子７０を取り付けてなる電気音響変換器において、端子７０のコ字状のフレーム挟持部７１をフレーム１の端子取り付け部９に嵌合し、端子７０に設けた位置決め孔７４とフレーム１に設けた位置決めボス１０との嵌合と、端子７０に設けた掛け止め部７３のフレーム１側への掛け止めとで、端子７０を仮固定した後、直ちにフレーム挟持部７１を端子取り付け部９に配設した導体３５に半田付けで一体化して電気的に接続する最終工程を行い、端子取り付け作業を容易化して電気音響変換器の生産性の向上を図り、さらなるコストダウンを実施可能にする。【選択図】  図１
2007060445.tif 000002
【特許請求の範囲】
【請求項１】
磁気回路と該磁気回路により駆動されるボイスコイルを取り付けた振動板とを樹脂製のフレームに組み付けると共に、該フレームに板バネ状の端子を取り付けてなる電気音響変換器において、端子のフレーム挟持部をフレームの端子取り付け部に嵌合し、端子とフレームの何れか一方に設けた位置決め孔と他方に設けた位置決めボスとの嵌合と、端子とフレームの何れか一方に設けた掛け止め部の他方側への掛け止めとで、端子をフレームに仮固定した後、端子のフレーム挟持部をフレームの端子取り付け部に配設した導体に半田付けで一体化して電気的に接続することを特徴とする電気音響変換器の端子取り付け方法。
【請求項２】
磁気回路と該磁気回路により駆動されるボイスコイルを取り付けた振動板とを樹脂製のフレームに組み付けると共に、該フレームに板バネ状の端子を取り付けてなる電気音響変換器において、フレームに導体を配設した端子取り付け部を形成する一方、端子にフレームの端子取り付け部に嵌合するフレーム挟持部を形成し、フレームの端子取り付け部と端子のフレーム挟持部の何れか一方に位置決めボスを設け、かつ他方にフレームの端子取り付け部と端子のフレーム挟持部との嵌合方向で嵌合する位置決め孔を設けると共に、フレームの端子取り付け部と端子のフレーム挟持部の何れか一方にフレームの端子取り付け部と端子のフレーム挟持部との嵌合方向と直交する方向で他方側に掛け止める掛け止め部を設け、フレームの端子取り付け部への端子のフレーム挟持部の嵌合による位置決めボスと位置決め孔との嵌合と掛け止め部の掛け止めで、端子をフレームに仮固定した後、端子のフレーム挟持部をフレームの端子取け付け部に配設した導体に半田付けで一体化して電気的に接続することを特徴とする電気音響変換器の端子取り付け構造。
【請求項３】
端子のフレーム挟持部は、フレームの端子取り付け部をその厚さ方向で挟む一対の端片と、各端片の一端側を連結する連結片とでコ字状に形成され、連結片に位置決めボスと位置決め孔の何れか一方が設けられ、一方の端片に先端側を機器側導体に接触させる板バネ片が連設される請求項２記載の電気音響変換器の端子取り付け構造。
【請求項４】
端子のコ字状のフレーム挟持部は、他方の端片に先端側をフレーム側に掛け止めるフック状の掛け止め部が連設される請求項３記載の電気音響変換器の端子取り付け構造。
【請求項５】
請求項１の端子取り付け方法又は請求項２〜４の何れか一つの端子取り付け構造を用いて取り付けられた端子を具備することを特徴とする電気音響変換器。
【請求項６】
フレームの端子取り付け部に配設する導体は、振動板を覆うようにフレームに組み付ける金属製のバッフルに一体に形成されており、端子は、バッフルを機器側接地導体に電気的に接続するアース端子である請求項５記載の電気音響変換器。
【発明の詳細な説明】
【技術分野】
【０００１】
本発明は、携帯電話機等に内蔵される小型のスピーカ、マイクロホン等の電気音響変換器の端子取り付け方法と構造並びに電気音響変換器に関する。
【背景技術】
【０００２】
この種の電気音響変換器において、機器（携帯電話機）側との電気接続を行うための板バネ状の端子を具備するものが、例えば特許文献１に開示されている。
【０００３】
従来の電気音響変換器は、端子側に設けた丸孔を電気音響変換器側に設けた突起に嵌め込んで端子を取り付け状態にセットした後、さらにその突起を熱潰（溶潰）するという中間工程を経て、最終的に電気音響変換器側の導体と半田付けで一体化して電気的に接続していた。
【特許文献１】特開平８−１６８０９６号公報
【発明の開示】
【発明が解決しようとする課題】
【０００４】
本発明が解決しようとする課題は、従来の電気音響変換器は、端子を取り付け状態にセットした後、最終的に電気音響変換器側の導体と半田付けで一体化して電気的に接続するまでに、手間と時間の掛かる中間工程が必要な方法で端子を取り付けていたので、電気音響変換器の生産性を低下させ、コストダウンを妨げた点にある。
【課題を解決するための手段】
【０００５】
上記課題を解決するために請求項１記載の発明の電気音響変換器の端子取り付け方法は、磁気回路と該磁気回路により駆動されるボイスコイルを取り付けた振動板とを樹脂製のフレームに組み付けると共に、該フレームに板バネ状の端子を取り付けてなる電気音響変換器において、端子のフレーム挟持部をフレームの端子取り付け部に嵌合し、端子とフレームの何れか一方に設けた位置決め孔と他方に設けた位置決めボスとの嵌合と、端子とフレームの何れか一方に設けた掛け止め部の他方側への掛け止めとで、端子をフレームに仮固定した後、端子のフレーム挟持部をフレームの端子取り付け部に配設した導体に半田付けで一体化して電気的に接続するものであり、端子を取付け状態に仮固定した後、直ちに電気音響変換器側の導体と半田付けで一体化して電気的に接続する最終工程を行い、中間工程をなくし、電気音響変換器の端子取り付け作業を容易化して生産性の向上を図り、さらなるコストダウンを実施可能にするものである。
【０００６】
請求項２記載の発明の電気音響変換器の端子取り付け構造は、磁気回路と該磁気回路により駆動されるボイスコイルを取り付けた振動板とを樹脂製のフレームに組み付けると共に、該フレームに板バネ状の端子を取り付けてなる電気音響変換器において、フレームに導体を配設した端子取り付け部を形成する一方、端子にフレームの端子取り付け部に嵌合するフレーム挟持部を形成し、フレームの端子取り付け部と端子のフレーム挟持部の何れか一方に位置決めボスを設け、かつ他方にフレームの端子取り付け部と端子のフレーム挟持部との嵌合方向で嵌合する位置決め孔を設けると共に、フレームの端子取り付け部と端子のフレーム挟持部の何れか一方にフレームの端子取り付け部と端子のフレーム挟持部との嵌合方向と直交する方向で他方側に掛け止める掛け止め部を設け、フレームの端子取り付け部への端子のフレーム挟持部の嵌合による位置決めボスと位置決め孔との嵌合と掛け止め部の掛け止めで、端子をフレームに仮固定した後、端子のフレーム挟持部をフレームの端子取け付け部に配設した導体に半田付けで一体化して電気的に接続するものであり、端子を取り付け状態に仮固定した後、直ちに電気音響変換器側の導体と半田付けで一体化して電気的に接続する最終工程を行い、中間工程をなくし、電気音響変換器の端子取り付け作業を容易化して生産性の向上を図り、さらなるコストダウンを実施可能にするものである。
【０００７】
請求項３記載の発明の電気音響変換器の端子取り付け構造は、請求項２記載の発明の電気音響変換器の端子取り付け構造に、端子のフレーム挟持部は、フレームの端子取り付け部をその厚さ方向で挟む一対の端片と、各端片の一端側を連結する連結片とでコ字状に形成され、連結片に位置決めボスと位置決め孔の何れか一方が設けられ、一方の端片に先端側を機器側導体に接触させる板バネ片が連設される点を付加したものであり、端子のフレーム挟持部が、フレームの端子取り付け部への嵌合によって、フレーム挟持・位置決め・掛け止めの３つの機能を同時に発揮して作業性よく端子の仮固定を行い、電気音響変換器の端子取り付け作業をさらに容易化するものである。
【０００８】
請求項４記載の発明の電気音響変換器の端子取り付け構造は、請求項３記載の発明の電気音響変換器の端子取り付け構造に、端子のコ字状のフレーム挟持部は、他方の端片に先端側をフレーム側に掛け止めるフック状の掛け止め部が連設される点を付加したものであり、端子のフレーム挟持部が、フレームの端子取り付け部への嵌合によって、フレーム挟持・位置決め・掛け止めの３つの機能を同時に発揮して作業性よく端子の仮固定を行い、電気音響変換器の端子取り付け作業をさらに容易化するものである。
【０００９】
請求項５記載の発明の電気音響変換器は、請求項１の端子取り付け方法又は請求項２〜４の何れか一つの端子取り付け構造を用いて取り付けられた端子を具備するもので、端子取り付け作業の容易化によって生産性の向上が図られ、その生産性の向上によってコストダウンが実施可能になるものである。
【００１０】
請求項６記載の発明の電気音響変換器は、請求項５記載の電気音響変換器に、フレームの端子取り付け部に配設する導体は、振動板を覆うようにフレームに組み付ける金属製のバッフルに一体に形成されており、端子は、バッフルを機器側接地導体に電気的に接続するアース端子である点を付加したものであり、静電気放電（ＥＳＤ）破壊対策と当該電気音響変換器を携帯電話機等の通信機器に使用した場合に機器側内蔵アンテナからの輻射ノイズ対策を講じることができるものである。
【発明の効果】
【００１１】
本発明によれば、電気音響変換器の端子取り付け作業を容易化して電気音響変換器の生産性の向上を図り、さらなるコストダウンを実施し、従来に比べて電気音響変換器を安く提供することができる。また、静電気放電破壊対策と機器側内蔵アンテナからの輻射ノイズ対策を講じた電気音響変換器を安く提供することができる。
【発明を実施するための最良の形態】
【００１２】
以下、本発明の実施形態を図面を参照して説明する。図１は本発明の実施形態の携帯電話機用小型スピーカの分解斜視図、図２は正面図、図３は背面図、図４は図２のＡ−Ａ断面図である。
【００１３】
本実施形態のスピーカは、図示しない機器側配線基板と対向するスピーカ背面（裏面）側に配置する板状の樹脂製リヤフレーム２０と、このリヤフレーム２０の機器側配線基板と反対側の一面に接合一体化して、スピーカ正面（表面：放音面）側に配置する樹脂製フロントフレーム１とで、一つのスピーカフレームを構成している。このスピーカフレームにおけるフロントフレーム１は、長円形の環状のスピーカ本体装着部２と、このスピーカ本体装着部２に外接する矩形の板状のフランジ部３と、スピーカ本体装着２の一側にフランジ部３を介して連設する底面を開放した有天角筒状のキャビティ形成部４とを一体に形成しており、スピーカフレームにおけるスピーカ本体装着部２に、スピーカ本体構成部品を組み付けて、スピーカ本体を構成し装着すると共に、スピーカフレームにおけるキャビティ形成部４の内側に、スピーカ本体装着部２に装着するスピーカ本体の音響特性を向上するための、キャビティ（空洞）５を形成している。
【００１４】
スピーカ本体は、フロントフレーム１とリヤフレーム２０を接合一体化する際に、フロントフレーム１のスピーカ本体装着部２とリヤフレーム２０との間に挟み込んで、スピーカフレームにおけるスピーカ本体装着部２に一体に組み付ける長円形の有底筒状の金属製ヨーク３０と、このヨーク３０の内底面にそのヨーク３０の側壁との間に所定の隙間を設けて固着する長円形の柱状のマグネット３１と、このマグネット３１の上面に固着する長円形の板状の金属製ポールピース３２とで、磁気回路を構成すると共に、ヨーク３０の側壁とポールピース３２との隙間で、ポールピース３２の厚さに相当する深さを有する長円形の磁気ギャップ３３を形成している。またスピーカ本体は、周縁部をフロントフレーム１のスピーカ本体装着部２に固着して、磁気回路の上面側に張設する樹脂や金属フィルムからなる長円形の振動板３４と、この振動板３４の裏面に一端を固着する長円形の筒状のボイスコイル３５とで、振動系を構成すると共に、磁気回路の磁気ギャップ３３に振動系のボイスコイル３５を挿入配置している。
【００１５】
さらにスピーカ本体は、周縁部を振動板３４の周縁部の上からフロントフレーム１のスピーカ本体装着部２に固着して、振動板３４の上面側に張設する長円形の金属製バッフル３６を備え、このバッフル３６によって振動板３４を覆い保護している。バッフル３６には、多数の放音孔３７が開口形成されると共に、補償布３８が貼着されている。
【００１６】
なお、スピーカ正面側のバッフル３６の周縁部には、補償布３８の上から弾性材料からなる長円形のパッド４１が貼着されると共に、スピーカ背面側のリヤフレーム２０の周縁部にも、弾性材料からなるテープ状のパッド４１が貼着され、これらパッド４０，４１をを介して、スピーカ背面側が機器側配線基板と対向し、スピーカ正面側のスピーカ本体の放音部が携帯電話機のケースに開口された放音孔と対向するように、スピーカが携帯電話機のケース内部に組み付けられる。
【００１７】
以上のように構成した本実施形態のスピーカは、図１〜図３に示すように、スピーカ本体のボイスコイル３５を機器側配線基板の導体に電気的に接続するためのコイルバネからなる２つの第１端子５０を備えるもので、フロントフレーム１のスピーカ本体装着部２から四方に張り出している４つのフランジ部３のうち、キャビティ形成部４側の一方のフランジ部３をキャビティ形成部４側に張り出す形で他の３つのフランジ部３より大形に形成し、その大きなフランジ部３に対応するリヤフレーム２０の箇所を切り欠いて切り欠き部２１を設け、スピーカフレームにおけるスピーカ本体装着部２の周側部に切り欠き部２１を介して部分的に厚さ寸法を小さくした第１端子取リ付け部６（大きなフランジ部３）を形成している。この第１端子取リ付け部６の表面に、小型基板（ＰＣＢ）６０を貼着して配設する一方、第１端子取リ付け部６の裏面には、各第１端子５０を別々に保持する２つの円筒状の端子ホルダ７が一体に形成されている。
【００１８】
また、第１端子取リ付け部６の表面に配設する小型基板６０には、両端に半田付け部６１，６２を有する導体６３が表面に印刷形成されると共に、各導体６３の一端側に有する半田付け部６１の中心部で、小型基板６０の表面から裏面に貫通する２本のピンホール６４が設けられている。さらに、第１端子取リ付け部６には、小型基板６０の各ピンホール６４と同軸上で、第１端子取リ付け部６の表面から裏面に貫通する２本のピンホール８が設けられている。これらピンホール６４，８とで、表面に小型基板６０を配設した第１端子取リ付け部６に、小型基板６０の表面から第１端子取リ付け部６の裏面に貫通する２本のスルーホールを形成している。第１端子取リ付け部６の裏面に一体に形成した２つの端子ホルダ７には、この周壁の一部を全長にわたって切り欠いて切り欠き部７ａが設けられている。
【００１９】
そして、ボイスコイル３５を構成しているボイスコイル線材の両端部、つまり２本のボイスコイルリード線３５ａが、スピーカ本体装着部２と振動板３４との間から第１端子取リ付け部６の表面に引き出される。この引き出された２本のボイスコイルリード線３５ａの端部が、第１端子取リ付け部６の表面に配設した小型基板６０における各導体６３の他端側に有する半田付け部６２に、接着剤や半田付けで固着され一体化されて電気的に接続される。また、各第１端子５０には、これを構成しているコイルバネ線材の一端を第１端子５０の一端から接線方向に引き出した後、軸方向に沿って曲げ形成したＬ字状の接続ピン５０ａが設けられている。この接続ピン５０ａを一端に設けた各第１端子５０は、接続ピン５０ａの基端部を端子ホルダ７の切り欠き部７ａに嵌め込み、かつ、接続ピン５０ａの先端部をスルーホールに差し込みながら、接続ピン５０ａを設けた一端から端子ホルダ７に挿入して接着剤で一体に固着することによって、一端側が各端子ホルダ７に挿入保持され、先端側が各端子ホルダ７から伸縮自在に突出した状態で、第１端子取リ付け部６の裏面に取り付けることができると共に、各端子ホルダ７から切り欠き部７ａを介して引き出された接続ピン５０ａが、第１端子取リ付け部６の裏面に沿ってスルーホールまで延び、このスルーホールを中を通って第１端子取リ付け部６の表面側に導出される。この接続ピン５０ａの先端部が、第１端子取リ付け部６の表面に配設した小型基板６０における各導体６３の一端側に有する半田付け部６１に、接着剤や半田付けで固着され一体化されて電気的に接続される。
【００２０】
上記のように、スピーカフレームにおける第１端子取リ付け部６の裏面に取り付けられて、スピーカ本体のボイスコイル３５と電気的に接続された２つの第１端子５０は、スピーカが携帯電話機のケース内部に組み付けられることによって、機器側配線基板の導体に先端を押し当てた状態で接触し、外部回路（アンプ）から音声信号や音楽信号等の駆動信号を、第１端子取リ付け部６の表面に配設した小型基板６０の各導体６３を介してボイスコイル３５に印加する。スピーカ本体は、ボイスコイル３５に印加された駆動信号に応じたボイスコイル３５のピストン運動によって振動板６が振動し、駆動信号に応じた音を再生する。
【００２１】
さらに、本実施形態のスピーカは、図１〜図３及び図５〜７に示すように、静電気放電（ＥＳＤ）破壊対策と携帯電話機の内蔵アンテナからの輻射ノイズ対策を講じるためにスピーカ本体のバッフル３６を機器側配線基板の接地導体に電気的に接続する板バネからなる２つの第２端子であるアース端子７０を備えるもので、フロントフレーム１のスピーカ本体装着部２から四方に張り出している４つのフランジ部３のうち、第１端子取リ付け部６を構成している大きなフランジ部３と隣接する対角方向に位置する２つの小さなフランジ部３に対応するリヤフレーム２０の２箇所を切り欠いて２つの切り欠き部２２を設け、スピーカフレームにおけるスピーカ本体装着部２の周側部２箇所に切り欠き部２２を介して部分的に厚さ寸法を小さくした第２端子取り付け部９（小さなフランジ部３）を形成している。この第２端子取り付け部９の表面に、バッフル３６に一体に形成した薄板金属からなる平板状の導体３６ａを重ね合わせて配設する一方、第２端子取り付け部９の側面には、端子位置決めボス１０が一体に形成されている。
【００２２】
アース端子７０は、薄板金属を所定の形状に打ち抜いた後、長さ方向に沿って曲げ加工して形成したもので、第２端子取り付け部９をその表面に配設した導体３６ａと共に厚さ方向で挟む一対の端片７１ａ，７１ｂとこの各端片７１ａ，７１ｂの一端側を相互に連結する連結片７１ｃとでコ字状に形成されるフレーム挟持部７１と、フレーム挟持部７１における第２端子取り付け部９の裏面に接合する下側の端片７１ｂに連設されて、フレーム挟持部７１の下側でその開口方向と反対方向で斜め下方に延設される板バネ片７２と、フレーム挟持部７１における第２端子取り付け部９の表面に配設した導体３６ａに接合する上側の端片７１ａから面一にフレーム挟持部７１の開口方向に延設される、先端部が下向きに曲げ形成されたフック状の掛け止め部７３とを連続一体に形成して設けている。このアース端子７０のフレーム挟持部７１における第２端子取り付け部９の側面に接合する連結片７１ｃには、端子位置決めボス１０と嵌合する端子位置決め孔７４が開口形成されている。
【００２３】
そして、アース端子７０をスピーカフレームにおけるアース端子取リ付け部９に取り付けるには、図６及び図７（Ａ）に示すように、アース端子７０を、板バネ片７２の上端部に連続一体に形成して設けたコ字状のフレーム挟持部７１の開口部が、第２端子取り付け部９の端子位置決めボス１０を形成した側面と対向するように、第２端子取り付け部９の側方に位置させた状態で、アース端子７０のフレーム挟持部７１を第２端子取り付け部９の外側に嵌合する。これによって、図２、図３、図７（Ｂ）に示すように、フレーム挟持部７１における上下端片７１ａ，７１ｂが、第２端子取り付け部９をその表面に配設した導体３６ａと共に厚さ方向で挟持し、この挟持によって第２端子取り付け部９に対するアース端子７０のフレーム挟持が行われ、また、フレーム挟持部７１における連結片７１ｃが第２端子取り付け部９の側面に接合する際に、連結片７１ｃに開口形成した端子位置決め孔７４が第２端子取り付け部９の側面に一体に形成した端子位置決めボス１０と嵌合し、この嵌合によって第２端子取り付け部９に対するアース端子７０の位置決めが行われ、さらに、アース端子７０におけるフック状の掛け止め部７３の先端フック部が、第２端子取り付け部９の表面に配設した導体３６ａの側縁に引っ掛かり、この引っ掛かりによって第２端子取り付け部９に対するアース端子７０の掛け止め、つまり第２端子取り付け部９からのフレーム挟持部７１の離脱及び端子位置決めボス１０からの端子位置決め孔７４の抜け止めが行われ、これらフレーム挟持・位置決め・掛け止めの３つの機能によって、アース端子７０の板バネ片７２を、この上端部に連続一体に形成して設けたコ字状のフレーム挟持部７１を介して第２端子取り付け部９に保持させて、第２端子取り付け部９の裏面から斜め下方に突出した取り付け状態で、第２端子取り付け部９に仮固定する。この後、図７（Ｃ）に示すように、フレーム挟持部７１における上端片７１ａをこれが接合している第２端子取り付け部９の表面に配設した導体３６ａに半田付けで固着し一体化して電気的に接続する最終工程を行って完了する。
【００２４】
上記のように、スピーカフレームにおける各第２端子取り付け部９の裏面に取り付けられて、スピーカ本体のバッフル３６に電気的に接続された２つのアース端子７０の板バネ片７２は、スピーカが携帯電話機のケース内部に組み付けられることによって、機器側配線基板の接地導体に先端部（自由端部）を押し当てた状態で接触し、スピーカ本体のバッフル３６を接地する。これによって、静電気放電（ＥＳＤ）破壊対策と当該電気音響変換器を携帯電話機等の通信機器に使用した場合に機器側内蔵アンテナからの輻射ノイズ対策を講じることができる。
【００２５】
以上のように、本実施形態のスピーカに具備するアース端子７０の取り付け方法及び構造によれば、アース端子７０を取付け状態に仮固定した後、直ちにスピーカ側の導体３６ａと半田付けで一体化して電気的に接続する最終工程を行うことができるので、中間工程をなくすことができ、スピーカのアース端子取り付け作業を容易化して生産性の向上を図ることができる。これによって、スピーカのさらなるコストダウンを実施することができるようになる。
【００２６】
また、アース端子７０のフレーム挟持部７１が、スピーカフレームにおける各第２端子取り付け部９への嵌合によって、フレーム挟持・位置決め・掛け止めの３つの機能を同時に発揮して作業性よくアース端子７０の仮固定を行うことができるので、スピーカのアース端子取り付け作業をさらに容易化して生産性の向上を図ることができる。これによって、スピーカのさらなるコストダウンを実施することができるようになる。
【００２７】
従って、本実施形態のスピーカは、静電気放電破壊対策と機器側内蔵アンテナからの輻射ノイズ対策を講じるためのアース端子７０の取り付け作業の容易化によって生産性の向上を図ることができ、その生産性の向上によってコストダウンを実施することができ、機能を付加しながらも従来に比べて安く提供することができるものである。
【００２８】
なお、本実施形態では、長円形のスピーカ本体を示したが、円形のものでもよい。また内磁型のスピーカ本体を示したが、外磁型のものでもよい。さらに第２端子をスピーカ本体のバッフル３６を機器側配線基板の接地導体とを電気的に接続するアース端子としたが、第２端子はこのフレーム挟持部７１における上側の端片７１ａに第２端子取り付け部にてボイスコイルリード線（導体）を半田付けで固着し一体化して電気的に接続し、スピーカ本体のボイスコイル３５と機器側配線基板の導体に接続する接続端子として用いることもできる。この場合は第１端子がアース端子として用いられる。
【００２９】
以上、本実施形態は本発明の好適な実施形態の一例を示したが、本発明はそれに限定されることなく、その要旨を逸脱しない範囲内で種々変形実施することができる。例えば、本発明は、特に小型電子機器や通信機器の小型スピーカや小型マイクロフォン等の電気音響変換器に具備される機器側の配線基板等の外部回路との各種接続端子の取り付け方法と構造に好適に用いることができるものである。
【図面の簡単な説明】
【００３０】
【図１】本発明の実施形態の携帯電話機用小型スピーカの分解斜視図である。
【図２】正面図である。
【図３】背面図である。
【図４】図２のＡ−Ａ断面図である。
【図５】アース端子の外観斜視図である。
【図６】アース端子とそれを取り付ける前の第２端子取り付け部の斜視図である。
【図７】（Ａ）アース端子とそれを取り付ける前の第２端子取り付け部の平面図、（Ｂ）アース端子を第２端子取り付け部に仮固定した状態の平面図、（Ｃ）アース端子を第２端子取り付け部に半田付けした取り付け完了状態の平面図である。
【符号の説明】
【００３１】
１  フレーム
９  端子取り付け部
１０  端子位置決めボス
３０  ヨーク
３１  マグネット
３２  ポールピース
３３  磁気ギャップ
３４  振動板
３５  ボイスコイル
３６  バッフル
３６ａ  導体
７０  端子
７１  フレーム挟持部
７１ａ，７１ｂ  端片
７１ｃ  連結片
７２  板バネ片
７３  掛け止め部
７４  端子位置決め孔
【図１】
2007060445.tif 000003
【図２】
2007060445.tif 000004
【図３】
2007060445.tif 000005
【図４】
2007060445.tif 000006
【図５】
2007060445.tif 000007
【図６】
2007060445.tif 000008
【図７】
2007060445.tif 000009